(57)【要約】【課題】カバー体の自由端に設けられた傾斜縁部の摺動時における摩擦抵抗を低減し得る床用目地カバー装置を提供する。【解決手段】カバー体Ｃの自由端の端縁に形成された下り勾配で傾斜する傾斜縁部８の先端下面に、床ｆ2 の上面に線接触して該傾斜縁部８を支持する円弧支持縁１１を備えた支持体１０を目地に沿って設けた。これにより、カバー体Ｃの自由端の水平摺動時、或いはカバー体Ｃが傾動して摺動した場合にあっても、床ｆ2 の上面に線接触して摺動する円弧支持縁１１を備えた支持体１０によって床ｆ2 の上面との摩擦抵抗が軽減され、傾斜縁部８の円滑な摺動が可能となる。【選択図】図７
2009249906.tif 000002
【特許請求の範囲】
【請求項１】
隣接する建造物の床相互間の目地に差し渡されて該目地を覆うカバー体の一端が、一方の床の側縁に連結手段を介して揺動可能に連結されるとともに、該カバー体の他端を自由端とし、該自由端が他方の床の側縁に摺動可能に乗載されてなる床用目地カバー装置において、
前記カバー体の自由端の端縁に、他方の床の上面に向けて下り勾配で傾斜する傾斜縁部が形成され、該傾斜縁部の先端下面に、他方の床の上面に線接触して該傾斜縁部を支持する円弧支持縁を備えた支持体が目地方向に沿って設けられていることを特徴とする床用目地カバー装置。
【請求項２】
支持体が、丸棒材からなり、その周面を円弧支持縁としたことを特徴とする請求項１記載の床用目地カバー装置。
【発明の詳細な説明】
【技術分野】
【０００１】
本発明は、隣接する建造物の床相互間の目地を覆う床用目地カバー装置に関する。
【背景技術】
【０００２】
緩衝機能を備えた免震装置によって下部が支持された建物にあっては、地震時における水平方向の揺れが大きくなる傾向がある。このような免震構造の建物の周囲には、隣接する人工地盤との間に、前記揺れを吸収し得る比較的広幅の目地が形成されており、かかる免震構造の建物の目地に好適に使用し得る床用目地カバー装置が、本願出願人によって既に提案されている（例えば、特許文献１参照）。
【０００３】
かかる床用目地カバー装置は、図９に示すように、建物としての建造物Ａの床ｆと、該床ｆに目地ｓを介して隣接する人工地盤としての建造物Ｂとの間に差し渡されて前記目地ｓを覆うカバー体Ｃの一端を、前記床ｆの側縁に連結手段ａを介して揺動可能に連結し、該カバー体Ｃの他端を自由端として、該自由端を建造物Ｂの床面ｄ上に乗載するようにしている。
【０００４】
そして、地震時において、建造物Ａと、隣接する建造物Ｂとが離近する方向に相対変位すると、カバー体Ｃの自由端が建造物Ｂの床面ｄ上を水平に摺動してその相対変位に追従し得るようになっている。
【０００５】
また、カバー体Ｃは、図１０（Ａ）に示すように、目地ｓの幅方向に沿って並列する複数のメインバーｋと該メインバーｋに直交する複数のクロスバーｍとを格子状に組み付けたグレーチングからなる金属製の剛性基枠ｎの上部に矩形状の金属製カバー板ｐが配設されてなり、このカバー体Ｃの自由端の端縁には、金属製カバー板ｐの先端を建造物Ｂの床面ｄ上に向けて下り勾配で傾斜させた傾斜縁部ｅが形成されており、該傾斜縁部ｅによって前記床面ｄと自由端の端縁との間に急激な段差が生じないようにしている。ここで、該傾斜縁部ｅの先端には、下面が床面ｄに当接する所定長さの支持端ｇが床面ｄと平行に突成されており、該支持端ｇの下面を床面ｄに面接触させて、傾斜縁部ｅの先端を支持するようにしている。また、傾斜縁部ｅの下面は、基部が剛性基枠ｎのエンドバーｈに突き合わせ接合された略三角形状の支持板ｊによって支持されている。
【特許文献１】特開２０００−８４９７号公報（段落［００１３］、図１、図６（イ））
【発明の開示】
【発明が解決しようとする課題】
【０００６】
ところで、従来のカバー体Ｃの自由端に設けられた傾斜縁部ｅにあっては、地震時の床面ｄ上での水平摺動時において、床面ｄと平行に突成された支持端ｇの下面が床面ｄに面接触していることにより、摩擦抵抗が大きく、円滑に摺動し難いという問題点があった。
【０００７】
また、地震時において、建造物Ａと、隣接する建造物Ｂとが上下方向に相対変位し、図１０（Ｂ）に示すように、建造物Ｂが建造物Ａ（図９参照）に対して低位となってカバー体Ｃが傾動すると、図１１に示すように、支持端ｇの下面先端の角部ｉが床面ｄに当接する状態となり、この状態で隣接する建造物Ａ，Ｂ相互が近接する方向に相対変位すると、支持端ｇの下面先端の角部ｉが床面ｄに引っ掛かり易く、円滑に摺動し難いという問題点があった。
【０００８】
本発明は、かかる問題点を解消し得る床用目地カバー装置を提供することを目的とするものである。
【課題を解決するための手段】
【０００９】
本発明は、隣接する建造物の床相互間の目地に差し渡されて該目地を覆うカバー体の一端が、一方の床の側縁に連結手段を介して揺動可能に連結されるとともに、該カバー体の他端を自由端とし、該自由端が他方の床の側縁に摺動可能に乗載されてなる床用目地カバー装置において、前記カバー体の自由端の端縁に、他方の床の上面に向けて下り勾配で傾斜する傾斜縁部が形成され、該傾斜縁部の先端下面に、他方の床の上面に線接触して該傾斜縁部を支持する円弧支持縁を備えた支持体が目地方向に沿って設けられていることを特徴とする床用目地カバー装置である。
【００１０】
また、前記床用目地カバー装置にあって、支持体が、丸棒材からなり、その周面を円弧支持縁とした構成が提案され得る。
【発明の効果】
【００１１】
本発明は、上述したように、カバー体の自由端の端縁に、他方の床の上面に向けて下り勾配で傾斜する傾斜縁部が形成され、該傾斜縁部の先端下面に、他方の床の上面に線接触して該傾斜縁部を支持する円弧支持縁を備えた支持体が目地方向に沿って設けられているので、地震時において、隣接する建造物相互が離近する方向または目地に沿う方向に相対変位すると、傾斜縁部を支持する支持体が、その円弧支持縁を他方の床の上面に線接触させた状態で摺動することにより、従来の面接触に比して摩擦抵抗が軽減され、傾斜縁部の摺動を円滑に行わせることができる。また、隣接する建造物相互が上下方向に相対変位して、傾斜縁部が低位となるようにカバー体が傾動した状態で、隣接する建造物相互が近接する方向に相対変位しても、傾斜縁部を支持する支持体が、その円弧支持縁を他方の床の上面に線接触させた状態で摺動することにより、従来のように傾斜縁部の支持端の角部ｉ（図１１参照）が床面に引っ掛かることがなく、傾斜縁部を円滑に摺動させることができる。
【００１２】
また、支持体が、丸棒材からなり、その周面を円弧支持縁とした構成にあっては、支持体として所定太さの丸棒材を用いることにより、円弧支持縁を容易に設けることができる。
【発明を実施するための最良の形態】
【００１３】
本発明にかかる床用目地カバー装置の一実施例を、図１〜図８に基づいて説明する。
図１において、Ａは緩衝機能を備えた免震装置（図示省略）によって下部が支持された免震構造の建物からなる建造物、Ｂは該建造物Ａの周囲に形成された人工地盤からなる建造物であって、目地ｓを介して隣接している。目地ｓは、建造物Ａの周囲に沿って所定幅で形成され、地震時における建造物Ａと周囲の建造物Ｂとの水平方向の相対的な揺れを吸収し得るようになっている。
【００１４】
建造物Ｂの床ｆ2 は、建造物Ａの床ｆ1 の高さに比して、後述するカバー体Ｃの厚み分だけ低く設定されており、該床ｆ2 の側縁に水平受縁２ａを備えた前部摺動受枠２と比較的長い水平受縁３ａを備えた後部摺動受枠３が配設されている。尚、該後部摺動受枠３は前後に分割して形成することも可能である。この前部摺動受枠２と後部摺動受枠３は、目地ｓに沿う方向に延在するように配設されており、その長さは、図８に示すように、複数個のカバー体Ｃを配置した状態において、その両端に位置するカバー体Ｃ，Ｃの側方に、該カバー体Ｃ，Ｃが目地ｓに沿う方向に摺動し得る作動空隙４，４が夫々生じる長さに設定されている。尚、前記前部摺動受枠２と後部摺動受枠３は、図示したように分割形成することなく、一体に形成することも可能である。
【００１５】
建造物Ａの床ｆ1 と建造物Ｂの床ｆ2 の間には、カバー体Ｃが差し渡され、目地ｓを覆っている。該カバー体Ｃは、目地ｓに沿う方向に複数個が連続状に配設されるものであって（図８参照）、各カバー体Ｃは、図１に示すように、その一端が建造物Ａの床ｆ1 の側縁に、後述する連結手段１３を介して揺動可能に連結されている。各カバー体Ｃは、他端を自由端としており、該自由端が上述した前部摺動受枠２と後部摺動受枠３が配設された建造物Ｂの床ｆ2 の側縁上に摺動可能に乗載されている。
【００１６】
各カバー体Ｃは、図２〜図５に示すように、目地ｓを覆う平板状のカバー板５と、該カバー板５の下部に目地ｓの幅方向（図１において左右方向）に沿って配設された複数の補強支持杆６とを備えており、各補強支持杆６はカバー板５の可撓を許容する相互間隔を存して目地ｓに沿う方向に並列されている。カバー板５は、厚さ4.5mm程度の圧延鋼（SS400）からなる金属板が素材に用いられており、補強支持杆６には、高さ75mm程度、横幅45mm程度、肉厚2.3mm程度の圧延鋼（SS400）からなる角パイプ材が素材に用いられている。また、カバー板５は長さ1353mm程度、幅998mm程度の矩形状に形成されており、その後端にはカバー板５の端縁を下方に屈曲させた後壁縁７が連成されている。補強支持杆６は、図３に示すように、カバー板５の裏面の幅方向両側縁とその中間位置に略等間隔で配置され、複数の所要箇所に施された溶接ｙによってカバー板５に接合されている。尚、カバー板５及び補強支持杆６の材質としては、ステンレス鋼（SUS304）を用いることも可能である。
【００１７】
カバー体Ｃの自由端の端縁には、カバー板５の先端を各補強支持杆６の前端より前方に突出させて、建造物Ｂの床ｆ2 の上面に向けて下り勾配で傾斜させた傾斜縁部８が形成されており、該傾斜縁部８は、その下面が各補強支持杆６から夫々突設された略三角形状の支持板９によって支持されている。そして、この傾斜縁部８により、カバー体Ｃの自由端側の端部上面と建造物Ｂの床ｆ2 の上面との間に急激な段差が生じないようにしている。ここで、各支持板９は、厚さ4.5mm程度の圧延鋼（SS400）からなる金属板が素材に用いられており、その基部に形成された矩形状の取付部９ａが各補強支持杆６の側面に当接した状態で溶接ｙによって接合されている。これにより、従来の端部の突き合わせ接合（図１０（Ａ）参照）に比して、高い接合強度を得るようにしている。
【００１８】
前記傾斜縁部８の先端下面には、建造物Ｂの床ｆ2 の上面に線接触して該傾斜縁部８を支持する円弧支持縁１１を備えた支持体１０が目地ｓに沿う方向に設けられている。該支持体１０は、直径 9mm程度の圧延鋼（SS400）からなる長尺な丸棒材が素材に用いられており、図３に示すように、傾斜縁部８の幅方向両側縁間に亘って配設され、前記各支持板９の先端に形成された円弧溝部１２（図４参照）に嵌合された状態で、その嵌合部及び傾斜縁部８の先端下面の所要箇所に溶接ｙ（図３参照）によって接合されている。尚、支持体１０としては、断面半円状に形成された棒材を用いて、その周面を円弧支持縁１１とすることも可能である。また、これらの支持体１０を短尺状に分割して傾斜縁部８の幅方向両側縁間に間隔を置いて複数配設することも可能である。さらに、前記支持板９及び支持体１０の材質としては、ステンレス鋼（SUS304）を用いることも可能である。
【００１９】
また、後述する連結手段１３を介して建造物Ａの床ｆ1 の側縁に揺動可能に連結されるカバー体Ｃの一端には、図２，図３に示すように、その幅方向両側縁の近傍位置に、連結手段１３を構成する連結板１４，１４が一対で配設されている。該連結板１４，１４は、上下方向の挿通孔１５，１５が形成された矩形状の金属製平板からなり、補強支持杆６の下面より上方となる所定高さ位置で、その二辺縁が補強支持杆６の側面とカバー板５の後壁縁７の側面に溶接ｙ（図３参照）によって接合されている。
【００２０】
前記連結手段１３を図６に基づいて説明する。
建造物Ａの床ｆ1 の側縁上には、目地ｓに沿う方向に延在するようにして保持受枠１６が配設されている。該保持受枠１６は、水平受縁１６ａと垂直縁１６ｂとを備えた断面Ｌ形に形成されており、水平受縁１６ａの上面に、上述したカバー体Ｃを構成する各補強支持杆６の一端が乗載されている。また、水平受縁１６ａには、その下面側から挿通して該水平受縁１６ａに固着したボルトからなる複数の連結杆１７が、前記連結板１４，１４の挿通孔１５，１５に対応する位置に夫々立設されている。各連結杆１７は、水平受縁１６ａ上にカバー体Ｃを構成する各補強支持杆６の一端を乗載した状態において、前記連結板１４，１４の挿通孔１５，１５に下方から遊嵌され、その上端にはカバー板５の下方位置で、ナットからなる受圧部材１８が螺着されている。また、各連結杆１７には、前記受圧部材１８と連結板１４との間に介装するようにしてコイルバネからなる弾発部材１９が圧縮状態で外嵌されており、該弾発部材１９の弾発力によってカバー体Ｃを常時下方に付勢するようにしている。尚、このカバー体Ｃの下方付勢手段としては、コイルバネに代えてゴムリング（図示省略）を用いることも可能である。これにより、建造物Ａの床ｆ1 の側縁に、カバー体Ｃの一端を揺動可能に連結する連結手段１３が構成されている。また、この連結状態において、カバー板５の上面が建造物Ａの床ｆ1 の上面と同一高さとなるようにしている。さらに、カバー板５には、連結板１４，１４の挿通孔１５，１５の上方位置に、前記弾発部材１９及び受圧部材１８の取付け操作を可能とする操作孔２０，２０が開口されており、該操作孔２０，２０には、遮蔽キャップ２１，２１が着脱可能に嵌着されている。
【００２１】
また、カバー板５の上面には、所定形状の無数の凸部からなる滑り止め部２２（図５参照）が一体形成されている。
【００２２】
かかる構成にあって、床用目地カバー装置のカバー体Ｃは、常時は図１に示す定常位置で目地ｓを覆っている。そして、地震時において、建造物Ａと、隣接する建造物Ｂとが離近する方向または目地ｓに沿う方向に相対変位すると、カバー体Ｃの自由端が建造物Ｂの床ｆ2 の側縁上を水平に摺動してその相対変位に追従する。この時、傾斜縁部８を支持する支持体１０が、図７（Ａ）に示すように、その円弧支持縁１１（図４参照）を建造物Ｂの床ｆ2 の上面に線接触させた状態で摺動することにより、従来の面接触に比して摩擦抵抗が軽減され、傾斜縁部８の摺動を円滑に行わせることができる。
【００２３】
また、建造物Ａと、隣接する建造物Ｂとが上下方向に相対変位すると、カバー体Ｃは、連結手段１３により建造物Ａの床ｆ1 の側縁に連結された一端を支点として、建造物Ａもしくは隣接する建造物Ｂの上下動に伴なって傾動して、その相対変位に追従する。ここで、図７（Ｂ）に示すように、傾斜縁部８が低位となるようにカバー体Ｃが傾動した状態で、隣接する建造物Ａ，Ｂ相互が近接する方向に相対変位した場合、傾斜縁部８を支持する支持体１０が、その円弧支持縁１１（図４参照）を建造物Ｂの床ｆ2 の上面に線接触させた状態で摺動することにより、従来のように傾斜縁部ｅの支持端ｇの角部ｉ（図１１参照）が床面に引っ掛かることがなく、傾斜縁部８を円滑に摺動させることができる。
【００２４】
尚、上記実施例において、建造物Ａを免震構造の建造物、建造物Ｂを人工地盤からなる建造物としたが、これに代えて、建造物Ａを人工地盤からなる建造物、建造物Ｂを免震構造の建造物としてもよい。また、本発明にかかる床用目地カバー装置は、免震装置によって下部が支持された免震構造の建造物以外の一般的な建造物にも適用することが可能である。
【図面の簡単な説明】
【００２５】
【図１】本発明にかかる床用目地カバー装置の施工状態を示す縦断正面図である。
【図２】同上の床用目地カバー装置を構成するカバー体Ｃの縦断正面図である。
【図３】同上のカバー体Ｃの底面図である。
【図４】要部の拡大縦断正面図である。
【図５】同上のカバー体Ｃの平面図である。
【図６】連結手段１３部分の拡大図である。
【図７】円弧支持縁１１を備えた支持体１０の作用説明図である。
【図８】複数個のカバー体Ｃを目地ｓに沿う方向に連続状に配設した状態を示す平面図である。
【図９】従来構成の床用目地カバー装置の概略縦断正面図である。
【図１０】（Ａ）は従来のカバー体Ｃの傾斜縁部ｅを示す部分拡大断面図、（Ｂ）はその作用説明図である。
【図１１】図１０（Ｂ）における要部の部分拡大図である。
【符号の説明】
【００２６】
Ａ  建造物
Ｂ  建造物
Ｃ  カバー体
ｆ1  床
ｆ2  床
ｓ  目地
８  傾斜縁部
１０  支持体
１１  円弧支持縁
１３  連結手段
【図１】
2009249906.tif 000003
【図２】
2009249906.tif 000004
【図３】
2009249906.tif 000005
【図４】
2009249906.tif 000006
【図５】
2009249906.tif 000007
【図６】
2009249906.tif 000008
【図７】
2009249906.tif 000009
【図８】
2009249906.tif 000010
【図９】
2009249906.tif 000011
【図１０】
2009249906.tif 000012
【図１１】
2009249906.tif 000013